(57)【要約】【課題】  広告媒体として通行人や顧客等に配布される販促用配布物品において、広告・宣伝以外の付加価値を付けることにより、配布物品による販促効果を高めること。【解決手段】  前記配布物品はうちわ(1)とし、うちわ(1)の扇ぎ面(10)に、コード読み取り機能が搭載されたカメラ付き携帯電話により読み取り可能な二次元コード(2)が、所定の図柄と共に印字されており、二次元コード(2)は、娯楽的要素を含む画像や音声からなる第１の情報(31)が格納された携帯サイトに直接的に接続される構成となっており、第１の情報(31)内に、広告主のホームページや商品紹介等からなる第２の情報(32)を含む二次画面に導くリンク(33)が設定されていること。【選択図】  図２
0003109395.tif 000002
【実用新案登録請求の範囲】
【請求項１】
広告媒体として通行人や顧客等に配布される販促用配布物品において、
前記配布物品はうちわとし、
前記うちわの扇ぎ面に、コード読み取り機能が搭載されたカメラ付き携帯電話により読み取り可能な二次元コードが、所定の図柄等と共に印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていることを特徴とする販促用配布物品。
【請求項２】
広告媒体として通行人や顧客等に配布される販促用配布物品において、
前記配布物品は扇子とし、
前記扇子の扇ぎ面に、コード読み取り機能が搭載されたカメラ付き携帯電話により読み取り可能な二次元コードが、所定の図柄等と共に印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていることを特徴とする販促用配布物品。
【請求項３】
広告媒体として通行人や顧客等に配布される販促用配布物品において、
前記配布物品はカレンダーとし、
前記カレンダーの日付等が印刷されている紙面に、コード読み取り機能が搭載されたカメラ付き携帯電話により読み取り可能な二次元コードが印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていることを特徴とする販促用配布物品。
【請求項４】
広告媒体として通行人や顧客等に配布される販促用配布物品において、
前記配布物品はコースターとし、
前記コースターの表面に、コード読み取り機能が搭載されたカメラ付き携帯電話により読み取り可能な二次元コードが、所定の図柄等と共に印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていることを特徴とする販促用配布物品。
【請求項５】
広告媒体として通行人や顧客等に配布される販促用配布物品において、
前記配布物品はコップとし、
前記コップの外側面に、コード読み取り機能が搭載されたカメラ付き携帯電話により読み取り可能な二次元コードが印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていることを特徴とする販促用配布物品。
【請求項６】
請求項１から５のいずれかに記載の販促用配布物品において、前記第１の情報は、季節の風物詩や風景写真からなる画像やその画像に応じた音声であることを特徴とする販促用配布物品。
【請求項７】
請求項１から５のいずれかに記載の販促用配布物品において、前記第１の情報は、占いや抽選、又は、天気予報、イベント情報、道路交通情報等の実用的で且つ時期を得た情報であることを特徴とする販促用配布物品。
【請求項８】
請求項１から５のいずれかに記載の販促用配布物品において、前記第１の情報は、前記配布物品に印刷されているキャラクターの音声や動画や情報等を含むことを特徴とする販促用配布物品。
【請求項９】
請求項１から８のいずれかに記載の販促用配布物品において、前記第１の情報で得られた画像や音声は、待ち受け画面や着信メロディにダウンロードできるようにしたことを特徴とする販促用配布物品。
【請求項１０】
請求項１から９のいずれかに記載の販促用配布物品において、前記二次元コードは複数個設けられていることを特徴とする販促用配布物品。
【考案の詳細な説明】
【技術分野】
【０００１】
本考案は、販促用配布物品、特に、商品の広告・宣伝用に街頭等で配布されるうちわや扇子、或いは、顧客に配るカレンダー等の販促用配布物品に関するものである。
【背景技術】
【０００２】
従来から、街頭で配布される販促用配布物品としては、ポケットティッシュが一般的であり、ティッシュペーパーの収納袋やティッシュペーパーと共に収納袋内に収納されている台紙に、広告主の宣伝や広告等が印刷されている。又、近年では、特に、夏期において、ポケットティッシュに代えてうちわが配られることが多く、うちわの扇ぎ面に、前記宣伝・広告の内容が印刷されている。
これらポケットティッシュやうちわ等の配布物品には、宣伝したい商品やサービスの情報のほか、広告主のホームページアドレス等も表示されており、アドレスにアクセスすれば、より詳しい商品やサービスの内容、さらには、広告主に関する情報を得ることができる。
【考案の開示】
【考案が解決しようとする課題】
【０００３】
しかしながら、配布物品を受け取った人（以下、受取人という。）は、自分にとってよほど興味のある商品やサービスでない限り、わざわざパソコンや携帯サイトから、広告主のホームページにアクセスすることは少なく、配布物品に記載されている広告内容も無視されることが多いのが実情である。言い換えれば、販促用配布物品を街頭で配布する行為が顧客獲得に直接繋がっているかというと疑問であり、販促用配布物品を単に配るだけでは販促効果を高めることは困難である。
又、各店舗等においては年末に広告用のカレンダーが配布される。前記カレンダーは、一年を通じて広告を流し続ける目視物品で、実用性と視覚性を兼ね備えた広告商品と言えるが、日付や曜日等が印刷されている暦部分以外の他の印刷面積のほとんどは、写真やイラストで占められており、広告部分の占める面積は小さく、広告は脇役的な存在に過ぎないのが現状である。逆に、商店名や商品写真等の広告が大きく印刷されたカレンダーは顧客に敬遠されがちで、折角、年末に配布しても掛けてもらえず処分されてしまうことが多い。このため、広告面積は、最小限に抑えざるを得ない。
本考案は、かかる点に鑑みてなされたものであり、『広告媒体として通行人や顧客等に配布される販促用配布物品』において、広告・宣伝以外の付加価値を付けることにより、前記配布物品による販促効果を高めることを課題とする。
【課題を解決するための手段】
【０００４】
本考案の請求項１に係る考案の販促用配布物品は、『前記配布物品はうちわとし、
前記うちわの扇ぎ面の図柄内に、コード読み取り機能が搭載されたカメラ付き携帯電話により読み取り可能な二次元コードが印字されており、
前記二次元コードは、娯楽的要素を含む画像や音声からなる第１の情報が格納された携帯サイトに直接的に接続される構成となっており、
前記第１の情報内に、広告主のホームページや商品紹介等からなる第２の情報を含む二次画面に導くリンクが設定されていること』を特徴とするものである。
上記技術的手段は次のように作用する。
うちわは夏を感じる感性商品であり、扇ぎ面には、通常、涼しげな夏花・ホタル・花火等の夏の風物詩等をあしらった図柄や文字が印刷されている。この扇ぎ面に、前記図柄や文字等と共に二次元コードが印刷されている。二次元コードは、各コード専用のコードリーダーを搭載させたカメラ付き携帯電話で読み取ることができ、各配布物品に印刷されている二次元コードを携帯電話のカメラで撮影して読み取ることで、所定の携帯サイトへ自動的に且つ直接的に接続されて、娯楽的要素を含む第１の情報を即座に得ることができる。
【０００５】
前記第１の情報としては、例えば、請求項６に係る考案のように、印刷されている季節の風物詩や風景写真に連動した画像が画面に現れたり、それに応じた音がスピーカーから聞こえたりするものが考えられる。これにより、一層夏の情緒を醸し出すうちわに進化させることができる。
又、請求項７に係る考案のように、前記第１の情報を、占いや抽選、又は、天気予報やイベント情報、さらには、道路交通情報等の実用的で且つ時期を得た情報とすることにより、例えば、各種イベントに使用されるうちわとして採用可能となる。具体的には、うちわの扇ぎ面の二次元コードから、そのイベントの情報を写真や動画で事前に告知することができ、当日には、前記うちわの受取人を、道路交通情報等によってイベント会場まで誘導し、開催時間の変更等をタイムリーに携帯サイトを通じて知らせることも可能となる。又、日本語を組み込めるので携帯電話を使った占いや抽選にも利用でき、その場でイベントに参加することができる。
【０００６】
さらに、請求項８に係る考案のように、配布物品にアニメ等のキャラクターが印刷されている場合では、第１の情報として、キャラクターをしゃべらせたり、動画としたり、キャラクターの紹介ページ等を画面に現わすことが可能となる。
このように、前記第１の情報としては、広告主やその商品には直接関係のない娯楽的な内容であって、多くの受取人にとって身近で興味のある内容とすることが好ましい。このような娯楽的情報が得られることは、二次元コードの説明として、前記二次元コードの印字箇所の近傍に記載しておくと良い。配布物品を受け取った受取人のうち、比較的多くの人は、上記したような第１の情報に興味を持ち、読み取り対応のカメラ付き携帯電話で前記二次元コードを読み取って、前記第１の情報としての各種画像や音声等を楽しむ。前記第１の情報が格納された携帯サイトへは、二次元コードを読み取るだけで直接的に導かれるように設定されているから、第１の情報を得るための煩雑な操作は不必要であり、容易に前記第１の情報を得ることができる。
【０００７】
前記第１の情報内には、広告主のホームページや商品紹介等の第２の情報からなる二次画面に導くリンクが設定されていることから、前記受取人は、簡単な操作により、前記二次画面に導かれていく。そして、必然的に広告主のホームページや商品紹介等からなる第２の情報を閲覧することとなる。
又、前記した第１の情報で得られた画像や音声は、請求項９に係る考案のように、待ち受け画面や着信メロディにダウンロードできるようにしておけば、第１の情報としての付加価値が増し、前記二次元コードを読み取ってもらえる確率が向上する。
尚、上記配布物品としては、請求項２に係る考案のように、扇子であっても、請求項３に係る考案のように、カレンダーであってもよく、扇子である場合は、前記うちわの場合と同様に扇ぎ面に、又、カレンダーであるならば、日付や曜日が記載されている暦部分が印刷されている紙面の一部分に、前記二次元コードを印字させておけばよい。
【０００８】
又、各種イベント会場や店の景品等として配布される配布物品としては、他にも、請求項４に係る考案のように、コースターであっても、請求項５に係る考案のように、コップであってもよく、コースターの場合は表面に、コップの場合は外側面に、それぞれ前記二次元コードを印字させておけばよい。尚、これらコースターやコップは、紙製のものはもちろん、ガラス製や陶磁器製のものでも良い。
さらに、請求項１０に係る考案のように、各配布物品に複数の二次元コードを設けても良い。複数の二次元コードの各々は、同じ情報が読み取れる同じコードでもよいし、異なるものでも良い。又、複数の二次元コードを各種配布物品の所定位置に模様のように配置しても良い。
【考案の効果】
【０００９】
本考案によれば、配布物品を受け取った受取人は、配布元の広告主やその商品やサービスには興味がなくても、二次元コードを読み取ることで得られる第１の情報には興味を持つ。又、二次元コードは読み取り機能搭載のカメラ付き携帯電話を所持する人であれば誰でも容易に且つ直接的に読み取ることが出来るものであるから、配布物品から二次元コードを読み取ってもらえる確率は高い。前記二次元コードを読み取ることによって得られる前記第１の情報内には、二次画面へと導くリンクが設定されてあり、これにより、受取人を効率的に前記二次画面に導くことができ、前記二次画面に掲載されている広告主のホームページや商品紹介等といった第２の情報を閲覧させることができる。このように、広告主の商品やサービスに興味のない受取人であっても、前記広告主のホームページや商品紹介のページ等からなる第２の情報を閲覧する確率が高まり、閲覧してもらうことで、広告主やその商品に新たに興味を持ってもらえる場合も少なからずあることを勘案すれば、販促用配布物品による販促効果は確実に向上する。
【００１０】
又、請求項９に係る考案のように、前記した第１の情報で得られた画像や音声を待ち受け画面や着信メロディにダウンロードできるようにしておくことで、第１の情報としての付加価値が増すことから、前記第１の情報から前記第２の情報へ移行させる確率も一層向上する。
さらに、請求項１０に係る考案のように、一つの配布物品の複数の二次元コードを設けておくことにより、異なるコードとすれば、より多くの情報を受取人に与えることができ、販促効果が向上する。同じコードでもデザイン的に配置しておくことにより、二次元コードによる模様が構成され、各種物品のデザイン性が向上し、面白みが増す。
【考案を実施するための最良の形態】
【００１１】
以下に、本考案を実施するための最良の形態について添付図面を参照しながら説明する。
図１に示すものは、本考案実施の形態の販促用配布物品としてうちわ(1)を採用したもので、うちわ(1)の扇ぎ面(10)を構成する多数の支杆(11)に被覆貼着させる被覆紙(12)の表面には、風鈴、朝顔等といった夏の風物詩を描いた図柄が印刷されていると共に、前記表面の左下端には、二次元コードとして、ＱＲコード(2)（株式会社デンソーウェーブの登録商標）を印字させている。
従来のバーコードが専用読み取り器によって一方向にのみ読み取り可能な情報を含んでいるのに対し、二次元コードは、縦横二方向に情報を含めることができるようにしたもので、バーコードと比べて大容量のデータが省スペースで収納可能となっている。これは、ＱＲコード読み取り機能が搭載されたカメラ付き携帯電話によって、それに格納された情報を読み取ることができる。
【００１２】
又、前記ＱＲコード(2)の右横には、前記ＱＲコード(2)の読み取り方及び、ＱＲコード(2)を読み取ることによって得られる第１の情報(31)に関する説明文(20)が記載されている。
この実施の形態では、前記第１の情報(31)として、前記うちわ(1)の扇ぎ面(10)の図柄である風鈴が揺れる映像とその音とし、街頭でうちわを受け取った人（受取人）のうち、前記説明文(20)を読んで前記第１の情報(31)に興味を持った人は、カメラ付き携帯電話(3)でＱＲコード(2)を読み取ることとなる。
ＱＲコード(2)を読み取るには、図２の(Ａ)に示すように、ＱＲコード読み取り機能が搭載されたカメラ付き携帯電話(3)の読み込み機能を起動させ、ＱＲコード(2)にカメラを近づけて接写モードで撮影する。すると、自動的に、図２の(Ｂ)に示すように、前記第１の情報(31)として、例えば、風鈴が風に揺れる画像がカメラ付き携帯電話(3)の画面(30)に表示されると共に、風鈴の音がスピーカから聞こえるものとした。うちわ(1)の受取人は、これら夏の情緒を楽しむことができる。
【００１３】
このような第１の情報(31)が表示されている画面(30)へは、ＱＲコード(2)をカメラ付き携帯電話(3)で撮影するだけで直接的に導かれるように設定されているから、第１の情報(31)が表示されている画面(30)へ辿り着くための煩雑で面倒な操作は必要としない。よって、誰でも容易に第１の情報(31)が表示された画面(30)を閲覧したり、スピーカからの音声を聞いたりすることができる。
さらに、第１の情報(31)が表示されている画面(30)には、図２の(Ｃ)に示すように、広告主のホームページや商品紹介等からなる第２の情報(32)が記載された二次画面に導くリンク(33)が表示されている。よって、前記第１の情報(31)である各種画像や音声を楽しんだ前記受取人は、前記リンク(33)を選択して決定するといった簡単な操作により、前記第２の情報(32)が開示されている二次画面に自然に導かれていき、うちわ(1)を配布した広告主のホームページや商品やサービスの紹介を閲覧することとなる。
【００１４】
前記第１の情報(31)としては、風鈴や花火等といった季節の風物詩の画像やそれに応じた音の組み合わせだけではなく、各地の風景写真やそれに合わせた、川のせせらぎや鳥のさえずりといった音声であるとか、又は、きょうの天気や、きょうの占い、又は、祭りやバーゲン等のイベント情報や道路交通情報といった実用的で且つタイムリーな情報であるとか、又は、うちわ(1)の図柄がアニメ等のキャラクターである場合には、前記キャラクターの声や動画やキャラクター紹介等であっても良い。
さらに、所定店舗のクーポン券や各種抽選等に利用できるようにしても良い。
このように、配布物品としてのうちわ(1)を受け取った受取人が、うちわ(1)に記載されている広告主やその商品或いはサービスに興味や関心がない場合であっても、前記受取人にＱＲコード(2)に格納させた第１の情報(31)に興味を持たせることによって、まず、前記ＱＲコード(2)から第１の情報(31)が開示されている携帯サイトに直接的に接続させることができ、そのサイトから、前記受取人を、第２の情報(32)として広告主のホームページや商品紹介のページからなる二次画面に効率良く導くことが可能となる。これにより、広告主のホームページや商品紹介のページに受取人を触れさせる機会が確実に増すこととなり、販促効果も向上することとなる。
尚、配布物品としては、うちわのほかに、図３に示すように、扇子(4)や、図４に示すように、カレンダー(5)等が採用可能である。
【００１５】
扇子(4)の場合では、扇ぎ面(40)を構成する折畳面(42)の一つに、ＱＲコード(2)とその説明文(20)とを印字しておけば良い。尚、この場合、扇子(4)としては、支杆(41)の数が少なく、前記折畳面(42)の幅が比較的大きく取れる構成のものが採用可能である。
又、図４に示すように、カレンダー(5)に印字する場合では、日付や曜日等が印刷されている暦部分(50)以外の余白部分に、ＱＲコード(2)と、その横に、ＱＲコード(2)の読み取り方や、例えば、「こちらにリンクすると、オマケがもらえます。」といった説明文(20)を印字しておく。前記オマケ（第１の情報(31)）の例としては、同図に示すように、暦に応じて、「今週の占い」、「開花情報」「積雪情報」等が用意されており、これら情報の内容は、月に一度、週に一度、一日に一度、コンテンツにより更新されるものとする。
尚、同図に示したカレンダー(5)には、オマケ付き（第１の情報付き）のＱＲコード(2)の他、印字された広告主の社名の横に、別のＱＲコード(21)を設けてある。このＱＲコード(21)を撮影すると、広告主のホームページや商品紹介ページ等からなる二次画面に直接導かれるように設定されているものとする。
【００１６】
さらに、前記配布物品としては、図５に示すように、コースター(51)やコップ(52)でも良い。この実施の形態のものでは、一つのコースター(51)及びコップ(52)に複数のＱＲコード(2)をデザイン的に配列させて、ＱＲコード(2)による模様が構成されるようにした。尚、ＱＲコード(2)は全て同じものでも、異なるものをいくつか組み合わせて使用しても、どちらでも良い。又、コップ(52)は、紙製のものはもちろん、ガラス製又は陶磁器製のものでもＱＲコード(2)を転写させることができるので、材質は限定されない。
【００１７】
このように、ＱＲコード(2)を印字させる物品としては、従前のようなポケットティッシュやカード、チラシ、時刻表等、何ら限定されるものではないことは言うまでもない。
又、前記第１の情報(31)で取得できた画像を待ち受け画面として利用できるようにしたり、音声は着信メロディとして利用できるようにしたりすることにより、販促用配布物品の付加価値が増し、前記ＱＲコード(2)の読み取り効率を向上させることができる。
本考案のものでは、これら各種販促用配布物品に二次元コードを設けて、上記したような魅力のあるコンテンツに親しむ間に二次画面を使って効率良く広告主のホームページに導くことができることから、うちわや扇子等といったアナログ的な、企業広告商品をフレキシブルな企業情報発信端末へと進化させることができるのである。
【図面の簡単な説明】
【００１８】
【図１】本考案の実施の形態の販促用配布物品としてのうちわの全体図。
【図２】本考案の実施の形態の販促用配布物品から、広告主のホームページ等へアクセスさせる過程を示す説明図。
【図３】本考案の実施の形態の販促用配布物品としての扇子の全体図。
【図４】本考案の実施の形態の販促用配布物品としてのカレンダーの全体図。
【図５】本考案の実施の形態の販促用配布物品としてのコップとコースターの斜視図。
【符号の説明】
【００１９】
(1) ・・・・・販促用配布物品（うちわ）
(2) ・・・・・二次元コード（ＱＲコード）
(3) ・・・・・カメラ付き携帯電話
(31)・・・・・第１の情報
(32)・・・・・第２の情報
(33)・・・・・リンク  
【図１】
0003109395.tif 000003
【図２】
0003109395.tif 000004
【図３】
0003109395.tif 000005
【図４】
0003109395.tif 000006
【図５】
0003109395.tif 000007